(57)【特許請求の範囲】
【請求項１】
集塵口（３１ａ）を有する袋本体（３）をホース導入口（２１）を有する板状の取付片（２）に、集塵口（３１ａ）とホース導入口（２１）とを位置合わせするようにして取付けられ、電気掃除機に設けられた集塵室に着脱自在に装着できるようにした電気掃除機用集塵袋において、
袋本体（３）が、前面（３１）と、後面（３２）とを備え、これらの前面（３１）と後面（３２）との周部同士が接合されることにより、前面（３１）と後面（３２）とで袋本体（３）が形成され、
この袋本体（３）は、折り目線（３７）（３８）を備え、この折り目線（３７）（３８）によって、袋本体（３）が、非折り返し部（３０）と、折り返し部（３３）（３４）とに区画形成され、
折り返し部（３３）（３４）が、襠部を形成することなく、折り目線（３７）（３８）に沿って非折り返し部（３０）の後方側に折り返されたものであり、
これらの折り返し部（３３）（３４）は、非折り返し部（３０）の一端側と他端側との両側に、設けられたものであり、一端側に配位された折り返し部（３３）の折り返し量（Ｌ２）より他端側に配位された折り返し部（３４）の折り返し量（Ｌ１）が多くされたことを特徴とする電気掃除機用集塵袋。
【請求項２】
袋本体（３）の前面（３１）における集塵口（３１ａ）の中心から他端側の折り目線（３８）までの距離（Ｌ３）が、前面（３１）における集塵口（３１ａ）の中心から一端側の折り目線（３７）までの距離（Ｌ４）より短くされたものであることを特徴とする請求項１記載の電気掃除機用集塵袋。
【請求項３】
前面側に集塵口（３１ａ）を有する袋本体（３）を、ホース導入口（２１）を有する板状の取付片（２）に、集塵口（３１ａ）とホース導入口（２１）とを位置合わせするようにして取付けられ、電気掃除機に設けられた集塵室に着脱自在に装着できるようにした電気掃除機用集塵袋において、
袋本体（３）の左部側と右部側とには、左折り目線（３７）と、右折り目線（３８）とが備えられ、袋本体（３）の上部側と下部側とには、上折り目線（４１）と、下折り目線（４２）とが備えられ、
左折り目線（３７）は、袋本体（３）の左部を折り返すためのもので、袋本体（３）の左端から所定距離だけ隔てた位置に、上下方向に沿って、上端から下端にかけて形成されており、
右折り目線（３８）は、袋本体（３）の右部を折り返すためのもので、袋本体（３）の右端から所定距離だけ隔てた位置に、上下方向に沿って、上端から下端にかけて形成されており、
これらの左折り目線（３７）と右折り目線（３８）とによって、袋本体（３）が左方側の左折り返し部（３３）と、右部側の右折り返し部（３４）と、その間の非折り曲げ部（３０）とに区画形成され、
右折り返し部（３４）の折り返し量（Ｌ１）が左折り返し部（３３）の折り返し量（Ｌ２）より多くされており、
袋本体（３）の前面（３１）における集塵口（３１ａ）の中心から右折り目線（３８）までの距離（Ｌ３）が、前面（３１）における集塵口（３１ａ）の中心から左折り目線（３７）までの距離（Ｌ４）より短くされており、
上折り目線（４１）は、袋本体（３）の上部を下後方側に折り返すためのもので、袋本体（３）の上端から所定距離だけ隔てた位置に、左右方向に沿って、左端から右端にかけて形成されており、
下折り目線（４２）は、袋本体（３）の下部を上後方側に折り返すためのもので、袋本体（３）の下端から所定距離だけ隔てた位置に、左右方向に沿って、左端から右端にかけて形成されており、
これらの上下の両折り目線（４１）（４２）とによって、袋本体（３）が上方側の上折り返し部（４３）と、下部側の下折り返し部（４４）と、その間の非折り曲げ部（３０）とに区画形成され、
袋本体（３）は、前面（３１）と後面（３２）とが重ね合わされた状態で、前後左右の各部が折り返されることにより、襠部を形成することなく、後方側に折り畳まれたものであり、
袋本体（３）の前面（３１）の非折り曲げ部（３０）が取付片（２）の後面に、袋本体（３）の集塵口（３１ａ）を取付片（２）のホース導入口（２１）に位置合わせするようにして取り付けられており、取付片（２）と袋本体（３）との左方側は、取付片（２）の左端側から袋本体（３）の左端側が左方側に突出しており、取付片（２）と袋本体（３）との右方側は、袋本体（３）の右端から取付片（２）の右端側が突出した状態になっていることを特徴とする電気掃除機用集塵袋。
【発明の詳細な説明】
【０００１】
【発明の属する技術分野】
本願発明は、電気掃除機用集塵袋の改良に関するものである。
【０００２】
【従来の技術】
従来から、使い捨て用の電気掃除機用集塵袋が知られている。この従来の電気掃除機用集塵袋として、例えば図８(A)(B)に示すようなものが提案されている。この電気掃除機用集塵袋は、前面ａ２に集塵口ａ１を有する袋本体ａと、電気掃除機に着脱自在に取り付ける厚紙からなる板状の取付片ｂとを備えたものであり、この袋本体ａを、前後両面ａ２、ａ４と、左右両側面ａ３、ａ３とを備えたものから構成し、上下両端を開口した筒状の状態で、左右両側面ａ３、ａ３各々を前面ａ２及び後面ａ４から山折りするとともに、左右両側面ａ３、ａ３各々を二つ折りにして前面ａ２と後面ａ４との間に同量ずつ折り込むことによって折り込み部ｄ、ｄを形成し、前面ａ２の左右中央に集塵口ａ１を配して袋本体ａ全体を取付片ｂよりやや幅広い偏平状のものにし、その後、図９に示すように上端部を下方側に折り返して接着することにより上閉鎖部ｅ１を形成するととともに、下端部を上方側に折り返して接着すことにより、下閉鎖部ｅ２を形成したものとし、このように形成した袋本体ａの前面ａ２を取付片ｂに、前面ａ２の集塵口ａ１と、取付片ｂに設けたホース導入口ｂ１とを合致させるようにして接着させることにより、取付片ｂの左右及び上下両端各々から袋本体ａの前面ａ２を突出させ、更に、この状態から取付片ｂの上下両端各々から突出した袋本体ａを、取付片ｂの上端、下端両位置各々から後方側に折り畳んで全体をコンパクトな偏平状にしたものである。そして、使用に際しては、電気掃除機に設けた集塵室の取付部に、取付片ｂを取り付けることにより、電気掃除機用集塵袋を集塵室に装着できるとともに、電気掃除機の吸引作用に伴って袋本体ａが集塵室の内壁まで膨らんで塵等を収納できる。
しかしながら、折り込み部ｄ、ｄを、左右両側面ａ３、ａ３各々を前面ａ２と後面ａ４との間に折り込むようにして形成しているため、折り込み部ｄ、ｄの形成に時間を要するとともに、前面ａ２からの山折り部ｄ１と後面ａ４からの山折り部ｄ２との位置を揃えるのが難しく、位置ずれが生じると外観が損なわれ、商品価値が低下してしまう。又、図９に示すように上閉鎖部ｅ１及び下閉鎖部ｅ２を形成する際、左右の両端部では、前面ａ２と、後面ａ４と、各側面ａ３、ａ３を二つ折りにした二枚の折り込み片ａ５、ａ５との計四枚を重ね合わせて折り返さなければならず、折り返した部分の厚さが厚くなってしまい、綺麗に折り返し難くて折り返し作業がし難い。しかも、折り返しても折り返し部に弾性が強く働いて元の状態に戻ろうとしてしまい、その結果、接着し難く、上端部及び下端部に隙間が発生してしまうという課題がある。その場合において、上閉鎖部ｅ１及び下閉鎖部ｅ２を形成した後に、折り込み部ｄ、ｄを形成するとすると、折り込み部ｄ、ｄの形成が尚更困難になってしまう。
又、折り込んだ電気掃除機のメーカーや機種によって電気掃除機の集塵室の形態が異なり、電気掃除機用集塵袋を集塵室に、取付片ｂの下端側から取り付ける場合と、取付片ｂの右端側から取り付ける必要のある場合とがあり、取付片ｂの右端側から取り付ける場合には、取付片ｂの右端から突出した袋本体ａの突出部ｆが邪魔になり、その突出部ｆを後方側に折り曲げるようにして行わなければならず、取り付けが面倒で時間を要してしまう。又、ユーザーが、その取り付けに際し、誤って突出部ｆと共に取付片ｂを取り付けてしまう場合があり、その場合には袋本体ａを集塵室で膨らませることができなくなってしまう。
【０００３】
【発明が解決しようとする課題】
本願発明は、以上の実情に鑑み提案されたもので、閉鎖部の折り返し操作が簡単で、しかも、閉鎖部に隙間の発生するおそれのない電気掃除機用集塵袋の提供を第１目的とする。
【０００４】
本願発明は、容易に短時間で折り畳んだ状態にでき、低コストで製作できる電気掃除機用集塵袋の提供を第２目的とする。
【０００５】
本願発明は、上閉鎖部及び下閉鎖部の折り返し操作が簡単で、しかも、上閉鎖部及び下閉鎖部に隙間の発生するおそれがなく、低コストで製作できるものであって、種々の機種の電気掃除機に容易に装着できる電気掃除機用集塵袋の提供を第３目的とする。
【０００６】
【課題を解決するための手段】
本願の請求項１に係る発明は、集塵口３１ａを有する袋本体３をホース導入口２１を有する板状の取付片２に、集塵口３１ａとホース導入口２１とを位置合わせするようにして取付けられ、電気掃除機に設けられた集塵室に着脱自在に装着できるようにした電気掃除機用集塵袋において、袋本体３が、前面３１と、後面３２とを備え、これらの前面３１と後面３２との周部同士が接合されることにより、前面３１と後面３２とで袋本体３が形成され、この袋本体３は、折り目線３７、３８を備え、この折り目線３７、３８によって、袋本体３が、非折り返し部３０と、折り返し部３３、３４とに区画形成され、折り返し部３３、３４が、襠部を形成することなく、折り目線３７、３８に沿って非折り返し部３０の後方側に折り返されたものであり、これらの折り返し部３３、３４は、非折り返し部３０の一端側と他端側との両側に、設けられたものであり、一端側に配位された折り返し部３３の折り返し量Ｌ２より他端側に配位された折り返し部３４の折り返し量Ｌ１が多くされたことを特徴とする電気掃除機用集塵袋を提供する。
【０００７】
本願の請求項２に係る発明は、袋本体３の前面３１における集塵口３１ａの中心から他端側の折り目線３８までの距離Ｌ３が、前面３１における集塵口３１ａの中心から一端側の折り目線３７までの距離Ｌ４より短くされたものであることを特徴とする請求項１記載の電気掃除機用集塵袋を提供する。
【０００８】
本願の請求項３に係る発明は、前面側に集塵口３１ａを有する袋本体３を、ホース導入口２１を有する板状の取付片２に、集塵口３１ａとホース導入口２１とを位置合わせするようにして取付けられ、電気掃除機に設けられた集塵室に着脱自在に装着できるようにした電気掃除機用集塵袋において、袋本体３の左部側と右部側とには、左折り目線３７と、右折り目線３８とが備えられ、袋本体３の上部側と下部側とには、上折り目線４１と、下折り目線４２とが備えられ、左折り目線３７は、袋本体３の左部を折り返すためのもので、袋本体３の左端から所定距離だけ隔てた位置に、上下方向に沿って、上端から下端にかけて形成されており、右折り目線３８は、袋本体３の右部を折り返すためのもので、袋本体３の右端から所定距離だけ隔てた位置に、上下方向に沿って、上端から下端にかけて形成されており、これらの左折り目線３７と右折り目線３８とによって、袋本体３が左方側の左折り返し部３３と、右部側の右折り返し部３４と、その間の非折り曲げ部３０とに区画形成され、右折り返し部３４の折り返し量Ｌ１が左折り返し部３３の折り返し量Ｌ２より多くされており、袋本体３の前面３１における集塵口３１ａの中心から右折り目線３８までの距離Ｌ３が、前面３１における集塵口３１ａの中心から左折り目線３７までの距離Ｌ４より短くされており、上折り目線４１は、袋本体３の上部を下後方側に折り返すためのもので、袋本体３の上端から所定距離だけ隔てた位置に、左右方向に沿って、左端から右端にかけて形成されており、下折り目線４２は、袋本体３の下部を上後方側に折り返すためのもので、袋本体３の下端から所定距離だけ隔てた位置に、左右方向に沿って、左端から右端にかけて形成されており、これらの上下の両折り目線４１、４２とによって、袋本体３が上方側の上折り返し部４３と、下部側の下折り返し部４４と、その間の非折り曲げ部３０とに区画形成され、袋本体３は、前面３１と後面３２とが重ね合わされた状態で、前後左右の各部が折り返されることにより、襠部を形成することなく、後方側に折り畳まれたものであり、袋本体３の前面３１の非折り曲げ部３０が取付片２の後面に、袋本体３の集塵口３１ａを取付片２のホース導入口２１に位置合わせするようにして取り付けられており、取付片２と袋本体３との左方側は、取付片２の左端側から袋本体３の左端側が左方側に突出しており、取付片２と袋本体３との右方側は、袋本体３の右端から取付片２の右端側が突出した状態になっていることを特徴とする電気掃除機用集塵袋を提供するものである。
【０００９】
以上のように構成された本願発明においては、単に折り目線３７、３８に沿って折り返し部３３、３４を非折り返し部３０の後方側に折り返せば良く、折り返し部３３、３４の形成を容易なものにできるとともに、従来のように袋本体３の前面と後面との間に左側面、右側面を折り込んで折り込み部を形成する場合のように、後面からの山折り部と前面からの山折り部との位置ずれが発生するようなことがなく、袋本体３の製作を容易なものにできる。
【００１０】
又、折り目線３７、３８に沿って非折り返し部３０の後方側に折り返することにより折り返し部３３、３４を形成するため、袋本体３の上閉鎖部３５及び下閉鎖部３６を、従来のように袋本体３の前面と後面との間に左側面、右側面を折り込んで折り込み部を形成する場合のように、前面３１と後面３２と二枚の折り込み片との計四枚を重ね合わせて折り返さなくても、前面３１と後面３２との二枚だけを重ね合わせて折り返せば良く、簡単に折り返しでき、しかも、折り返し片３５ａ、３６ａを短時間で確実に接着ができ、従来の計四枚を重ね合わせて折り返した場合のように折り返した折り返し片が元に戻ろうとする弾性によって接着が剥がれて隙間が発生するようなことを防止できる。
【００１１】
そして、例えば図３に示すように右側の折り返し部３４を、左側の折り返し部３３より折り返し量を多くし、袋本体３の前面３１における集塵口３１ａから右側の山折り部３８までの長さを、取付片２におけるホース導入口２１から取付片２の右端までの長さより短くして、非折り返し部３０の左端側を取付片２から突出させ、非折り返し部３０の右端側を取付片２から突出しないものとする。こうすることにより、電気掃除機１００の集塵室１０２に、取付片２の右端側から取り付ける必要のある場合でも、右折り返し部３４が取付片２から突出させていないため、袋本体３が邪魔になることなく、簡単に取り付けることができる。又、ユーザーが、その取り付けに際して誤って、取付片２と共に袋本体３を取り付けてしまうようなことを確実に防止できる。従って、電気掃除機１００の集塵室１０２がメーカーや機種によって異なる場合でもそれに適応させて簡単に装着できる。その際、折り返し部３３、３４を、前面３１及び後面３２の一部を後面３２の後方側に折り返することにより形成するため、左折り返し部３３と右折り返し部３４との折り返し量を簡単に調整することができるものである。
【００１２】
【発明の実施の形態】
以下、図を基に本願発明の一実施形態を具体的に説明する。
図１は、本願発明の電気掃除機用集塵袋の一実施形態の正面図、図２は、その背面図、図３は、図１のI −I 線断面図である。
【００１３】
本願発明の電気掃除機用集塵袋１は、取付片２と、袋本体３とを備えている。取付片２は、この実施形態では、厚紙から矩形状に形成されている。取付片２の略中央には、電気掃除機１００の吸塵用ホース１０１（図７に図示）を導き入れるための円形状のホース導入口２１が穿設されている。取付片２の上端側には、複数の切取り線２２ａ、２２ａによって複数の切取り片２２、２２が切取り可能に区画形成されており、種々の機種の電気掃除機１００の集塵室１０２（図７に図示）に応じて適宜切取り線２２ａ、２２ａから切り取られることにより、取付片２が、種々の集塵室１０２に適合し得る大きさに形成できるようになされている。又、取付片２の下端側には、切取り線２３ａによって切欠き形成部２３が切取り可能に区画形成されており、この切欠き形成部２３が切取り線２３ａから切取られることにより、取付片２の下端側に切欠きを形成できるようにして位置決め用凸部を有する電気掃除機に適合させて取り付けられるようになされている。一方、取付片２の右端側には、円形状の孔２４が備えられており、位置決め用突起を有する電気掃除機に適合させて取り付けられるようになされている。更には、取付片２の左端側には、切取り線２５ａ、２５ａによって切欠き溝形成部２５、２５が切取り可能に区画形成されており、切欠き溝形成部２５、２５が切取り線２５ａ、２５ａから切取られることにより、取付片２の左端側に切欠き溝を形成できるようにして位置決め用溝嵌挿片を有する電気掃除機に適合させて取り付けられるようになされている。尚、取付片２は、切取り片２２、２２、切欠き形成部２３、孔２４、及び切欠き溝形成部２５、２５各々を設けた形態のものに限らず、これらの内の一つ以上を設けたものでも、これらを全く設けないものでも良い。又、取付片２の材質は、特に限定されないが、使い捨て用として用いる場合は、厚紙から構成しておくのがコスト面の点で有利である。
【００１４】
袋本体３は、前面３１と、前面３１の周部に接合された後面３２とから構成されている。本実施形態では、袋本体３は、連続する一連のシート状部材から構成されている。詳しくは、シート状部材３ａは、自在に変形でき、折り畳んだり、折り畳んだ状態から膨らませることのできる柔軟性が有って、空気を通過させて塵やゴミ等を抜け止めして溜めることのできる濾材から構成されている。尚、ここで一連のシート状部材とは、前面３１と後面３２とが別体の２つのシートで構成されているものではなく、前面３１と後面３２とが連続したシート状部材で構成されていることを意味する。従って、シート状部材は、２枚重ねや３枚重ね等の複数枚のシートを重ねたものであってもよく、これらのシート部材が前面３１から後面３２に渡って連続したものであればよい。さらに、複数枚のシートを重ねる場合、少なくとも１枚が前面３１から後面３２に渡って連続したものであればよい。
このシート状部材３ａには、集塵口３１ａが穿設されている。この実施形態における集塵口３１ａは、取付片２のホース導入口２１より径を小さくして形成されているとともに、放射状に複数の切り込み３１ｂ…３１ｂが備えられている。そして、図４に示すようにこのシート状部材３ａの左部側と右端側との各々を、集塵口３１ａから略同距離の位置で山折りして後方側に折り返し、その端部同士を接着して接着部３ｂを形成することにより、上下両端開口の筒状体とし、その筒状体の前面、後面を、袋本体３の前面３１、後面３２とする。その後、図６に示すように、前面３１と後面３２とで構成した筒状体の開口端部を、前面３１と後面３２とを重ね合わせた状態で、左端から右端にかけて所定の長さで後方側に折り返すとともに、その折り返した折り返し片３５ａ，３６ａを接着剤を介して接着することにより、筒状体の開口端部を閉じた閉鎖部（上閉鎖部３５及び下閉鎖部３６）を形成する。従って、この実施形態における袋体３の前面３１と後面３２とは、左右両端が山折りした山折り部３９、３９により接合され、上下両端が重ね合わせて折り返し接着した上閉鎖部３５及び下閉鎖部３６とにより接合されたものとされている。尚、シート状部材３ａを折り返して接着した接着部３ｂの位置は、特に限定されず、また、接着部３ｂを上下方向に沿って形成する形態のものに限らず、斜め方向に沿って形成するようにしても良い。又、上閉鎖部３５及び下閉鎖部３６は、単に筒状体にした前面と後面とを内面同士を接着する等して接合しても良い。更に、袋本体３は、一枚のシート状部材３ａから形成するものに限らず、例えば二枚のシート状部材を接合するようにしても良く、適宜変更し得る。
【００１５】
又、この袋本体３の左部側と右部側とには、図５に示すように左折り目線３７と、右折り目線３８とが備えられている。左折り目線３７は、袋本体３の左部を折り返すためのもので、袋本体３の左端から所定距離だけ隔てた位置に、上下方向に沿って、上閉鎖部３５から下閉鎖部３６にかけて形成されており、又、右折り目線３８は、袋本体３の右部を折り返すためのもので、袋本体３の右端から所定距離だけ隔てた位置に、上下方向に沿って、上閉鎖部３５から下閉鎖部３６にかけて形成されており、これらの左折り目線３７と右折り目線３８とによって、袋本体３が左方側の左折り返し部３３と、右部側の右折り返し部３４と、その間の非折り曲げ部３０とに区画形成されている。これにより、袋本体３の左部側、右部側の各々が、前面３１と後面３２との二枚重ね合わされた状態で、共に後方側に後面３２側に配位されて折り畳まれる。また、本実施形態では、右折り返し部３４の折り返し量Ｌ１が左折り返し部３３の折り返し量Ｌ２より多くされており、これにより、袋本体３の前面３１における集塵口３１ａの中心から右折り目線３８までの距離Ｌ３が、前面３１における集塵口３１ａの中心から左折り目線３７までの距離Ｌ４より短くされている。
【００１６】
更に、袋本体３の上部側と下部側とには、図５に示すように上折り目線４１と、下折り目線４２とが備えられている。上折り目線４１は、袋本体３の上部を下後方側に折り返すためのもので、袋本体３の上端から所定距離だけ隔てた位置に、左右方向に沿って、左端から右端にかけて形成されており、下折り目線４２は、袋本体３の下部を上後方側に折り返すためのもので、袋本体３の下端から所定距離だけ隔てた位置に、左右方向に沿って、左端から右端にかけて形成されており、これらの上下の両折り目線４１、４２とによって、袋本体３が上方側の上折り返し部４３と、下部側の下折り返し部４４と、その間の非折り曲げ部３０とに区画形成されている。そして、これらの上折り返し部４３と下折り返し部４４は、上記左折り返し部３３と右折り返し部３４とを折り返した後、上折り目線４１、下折り目線４２各々から非折り曲げ部３０の後方側に折り返される。従って、これらの上折り返し部４３、下折り返し部４４各々を折り返す際には、折り返した左折り返し部３３と右折り返し部３４との各々の上部、下部をも同時に折り返すこととなる。これにより、袋本体３が、前後左右の各部が折り返されて偏平状に折り畳まれ、その状態で、保管や持ち運び等される。尚、上折り返し部４３と下折り返し部４４との折り返しは、左折り返し部３３と右折り返し部３４とを折り返す前に行うようにしても良い。
【００１７】
このようにして偏平状に形成される袋本体３の前面３１が取付片２の後面に、袋本体３の集塵口３１ａを取付片２のホース導入口２１に芯合わせするようにして取り付けられている。又、このようにして取り付けられた取付片２と袋本体３との左方側は、取付片２の左端側から袋本体３の左端側が左方側に突出している。一方、右方側は、袋本体３の右端から取付片２の右端側が突出した状態になっている。
【００１８】
尚、この袋本体３の材質は、特に限定されず、柔軟性、通気性を有する濾材を使用でき、例えば合成繊維、パルプ、合成樹脂、合成ゴム、或いは金属等を素材とし、紙、不織布、織布、フィルムやシート等にしたものを単独又は積層して形成できる。
【００１９】
以上のようにして折り返し部３３、３４を構成することにより、単に折り返し部３３、３４、４３、４４を後方側に折り返せば良く、従来のように袋本体３の前面と後面との間に折り込んで折り込み部を形成する場合のように後面からの山折り部と前面から山折り部との位置ずれが発生するようなことを防止できるとともに、容易に短時間で形成でき、低コストで製作できる。
【００２０】
又、袋本体３の上閉鎖部３５及び下閉鎖部３６を、従来の袋本体３の前面と後面との間に折り込み部を形成する場合のように、前面３１と後面３２と二枚の折り込み片との計四枚を重ね合わせて折り返さなくても、前面３１と後面３２との二枚だけを重ね合わせて折り返せば良く、簡単に折り返しでき、しかも、折り返し片３５ａ、３６ａを短時間で確実に接着しておくことができ、従来の計四枚を重ね合わせて折り返した場合のように折り返した折り返し片が元に戻ろうとする弾性によって接着が剥がれて隙間が発生するようなことを防止できる。
【００２１】
一方、使用に際しては、電気掃除機１００の集塵室１０２に、取付片２の右端側から取り付ける必要のある場合でも、右折り返し部３４が取付片２から突出させられていないため、袋本体３が邪魔になることなく、簡単に取り付けることができる。又、ユーザーが、その取り付けに際して誤って、取付片２と共に袋本体３を取り付けてしまうようなことを確実に防止できる。従って、電気掃除機１００の集塵室１０２がメーカーや機種によって異なる場合でもそれに適応させて簡単に装着できる。その際、折り返し部３３、３４を、前面３１及び後面３２の一部を後面３２の後方側に折り返することにより形成するため、左折り返し部３３と右折り返し部３４との折り返し量を簡単に調整することができるものである。
【００２２】
尚、本願発明は、上記の実施の形態に限定されるものではなく、例えば、袋本体３の形状（前面３１及び後面３２の形状）は、正方形の他、長方形、その他の多角形等に変更して実施することができる。また、取付片２のホース導入口２１の位置は、取付片２の略中央に設けるものの他、上下左右等、取付片２の中央から変位した位置に設けるようにしてもよい。このように、取付片２のホース導入口２１の位置を中央からずらすことによって、掃除機の機種によっては、掃除機への装着を容易になすことが可能となる場合がある。同様に、袋本体３の集塵口３１ａは、袋本体３の中央（前面３１の中央）に形成するものの他、上下左右等、中央から変位した位置に設けるようにしてもよく、また、取付片２と袋本体３との位置関係も適宜変更して実施することができる。
【００２３】
【発明の効果】
以上、本願の発明は、単に折り目線３７、３８に沿って折り返し部３３、３４を非折り返し部３０の後方側に折り返せば良く、折り返し部３３、３４の形成を容易なものにできるとともに、従来のように袋本体３の前面と後面との間に左側面、右側面を折り込んで折り込み部（襠部）を形成する場合のように、後面からの山折り部と前面から山折り部との位置ずれが発生するようなことがなく、袋本体３の製作を容易なものにできる。又、襠部を形成することなく、折り目線３７、３８に沿って非折り返し部３０の後方側に折り返することにより折り返し部３３、３４を形成するため、袋本体３の上閉鎖部３５及び下閉鎖部３６を、従来のように袋本体３の前面と後面との間に左側面、右側面を折り込んで折り込み部を形成する場合のように、前面３１と後面３２と二枚の折り込み片との計四枚を重ね合わせて折り返さなくても、前面３１と後面３２との二枚だけを重ね合わせて折り返せば良く、簡単に折り返しでき、しかも、折り返し片３５ａ、３６ａを短時間で確実に接着ができ、従来の計四枚を重ね合わせて折り返した場合のように折り返した折り返し片が元に戻ろうとする弾性によって接着が剥がれて隙間が発生するようなことを防止できる。
【００２４】
また、本願発明は、非折り返し部３０の一端側と他端側との両側に、折り返し部３３、３４が備えられ、一端側に配位された折り返し部３３の折り返し量よりも他端側に配位された折り返し部３４の折り返し量が多くされることを特徴とするものを提供するものであり、非折り返し部３０の一端側が取付片２から突出し、非折り返し部３０の他端側が取付片２から突出しないようにして実施することもできる。
これにより、例えば図３に示すように、袋本体３の前面３１における集塵口３１ａから右側の山折り部３８までの長さを、取付片２におけるホース導入口２１から取付片２の右端までの長さより短くして、非折り返し部３０の左端側を取付片２から突出させ、非折り返し部３０の他端側を取付片２から突出しないものとすることができる。こうすることにより、電気掃除機１００の集塵室１０２に、取付片２の右端側から取り付ける必要のある場合でも、右折り返し部３４が取付片２から突出させていないため、袋本体３が邪魔になることなく、簡単に取り付けることができる。又、ユーザーが、その取り付けに際して誤って、取付片２と共に袋本体３を取り付けてしまうようなことを確実に防止できる。従って、電気掃除機１００の集塵室１０２がメーカーや機種によって異なる場合でもそれに適応させて簡単に装着できる。その際、折り返し部３３、３４を、前面３１及び後面３２の一部を後面３２の後方側に折り返することにより形成するため、左折り返し部３３と右折り返し部３４との折り返し量を簡単に調整することができるものである。
【図面の簡単な説明】
【図１】本願発明の電気掃除機用集塵袋の一実施形態の正面図である。
【図２】同背面図である。
【図３】図１のIII −III 線断面図である。
【図４】一連のシート上部材から袋本体を形成する際の説明図である。
【図５】折り返し部を折り返す前の電気掃除機用集塵袋の正面図である。
【図６】図４のVI−VI線に沿う一部を省略した断面図である。
【図７】電気掃除機用集塵袋を電気掃除機の集塵室に装着させて袋本体を膨らませた状態の要部断面図である。
【図８】従来の電気掃除機用集塵袋に係り、(A) は、袋本体の上部及び下部を折り畳む前の正面図、(B) は、図８(A) のVIII−VIII線断面図である。
【図９】図８(A) のIX−IX線断面図である。
【符号の説明】
１          電気掃除機用集塵袋
２          取付片
３          袋本体
２１        ホース導入口
３０        非折り返し部
３１ａ      集塵口
３１        前面
３２        後面
３３        左折り返し部
３４        右折り返し部
３５        上閉鎖部
３６        下閉鎖部
３７        左折り目線
３８        右折り目線
１００      電気掃除機
１０２      集塵室
【図１】
0003626673.tif 000002
【図２】
0003626673.tif 000003
【図３】
0003626673.tif 000004
【図４】
0003626673.tif 000005
【図５】
0003626673.tif 000006
【図６】
0003626673.tif 000007
【図７】
0003626673.tif 000008
【図８】
0003626673.tif 000009
【図９】
0003626673.tif 000010